(57)【要約】【課題】綴り時に綴りテーブルの開口部に被綴り用紙が落ち込み込むのを良好に防止して、クリンチャのクリンチャホルダが綴り時に自由に移動するのを確保する。【解決手段】ドライバ１０によって打ち出されたステープルの脚部１１を折り曲げる１対のクリンチャ６を保持し、かつ上記ステープルの脚部１１の先端部をクリンチャ６側へ案内する傾斜したガイド面１７を有するクリンチャホルダ７を、被綴り用紙ａを受ける綴りテーブル１に開口した開口部９の内側に移動可能に設けたステープラにおいて、綴り時に上記被綴り用紙ａが上記開口部９の内側に落ち込むのを防止する落ち込み防止部２１を、上記開口部９の開口縁から開口部９の内側に突出形成した。【選択図】図１
2005297146.tif 000002
【特許請求の範囲】
【請求項１】
ドライバによって打ち出されたステープルの脚部を折り曲げる１対のクリンチャを保持し、かつ上記ステープルの脚部の先端部をクリンチャ側へ案内する傾斜したガイド面を有するクリンチャホルダを、被綴り用紙を受ける綴りテーブルに開口した開口部の内側に移動可能に設けたステープラにおいて、
綴り時に上記被綴り用紙が上記開口部の内側に落ち込むのを防止する落ち込み防止部を、上記開口部の開口縁から開口部の内側に突出形成した
ことを特徴とするステープラ。
【請求項２】
前記落ち込み防止部が、前記開口部の相対する開口縁から一体に張出し形成されたことを特徴とする請求項１記載のステープラ。
【発明の詳細な説明】
【技術分野】
【０００１】
本発明は、ステープルの脚部を折り曲げるクリンチャのクリンチャホルダを、クリンチャユニットの開口部の内側に移動可能に設けたステープラに関する。
【背景技術】
【０００２】
一般に、ステープラはステープルを打ち出すドライバ側と、ドライバによって打ち出されたステープルの脚部を折り曲げるクリンチャ側とを対向させ、ドライバ側とクリンチャ側の間に被綴り用紙を挿入するように構成されている。また、通常の手動式ステープラのように、ドライバ側の部材とクリンチャ側の部材とを同軸に回動自在に支持した一体型のものと、ドライバ側の部材とクリンチャ側の部材とを分離し、それぞれを同方向に移動するように構成した分離型のものとが知られている。前者は事務処理時に複数枚の書面を綴じる場合のように、被綴り用紙の側端やコーナー部をステープル止めするのに有効であり、後者は週刊誌の中央部分を中綴じする場合のように、被綴り用紙をドライバ側の部材とクリンチャ側の部材の一方の側から挿入し、綴り後に他方の側に通過させるのに有効である。
【０００３】
ステープラにおいて重要なことは、ドライバによって打ち出され、被綴り用紙を貫通したステープルの脚部が確実にクリンチャに当たる芯合せ状態で、これによって初めてステープルの脚部が正しく折り曲げられて被綴り用紙を綴ることができる。したがって、綴り時にドライバとクリンチャが所定の位置に対応するように配慮されている。
【０００４】
ところが、一体型ステープラは共通の軸に支持されているので、比較的ドライバとクリンチャの位置を合わせやすいが、分離型ステープラはドライバユニットとクリンチャユニットとが別個の手段に固定されているから、両ユニットを正確に位置決めするのは難しい。特に、最近の分離型ステープラは被綴り用紙の中綴じだけでなく、移動しながらコーナー綴じや側綴じなどもできるようなものが要求されている。この要求に応えるためには、ドライバユニットとクリンチャユニットとを同時に同方向に移動させることが必要となる。同じ位置に固定されたものであっても芯合せは難しく、両ユニットをそれぞれ別個の手段によって同方向に同じ量だけ正確に移動させることは、部品公差だけでなく、ユーザーによるステープラのセンター合わせなどの取付誤差が積み上がるので芯合せは非常に難しい。
【０００５】
そこで、最近はクリンチャをクリンチャユニットの一定位置に固定するのではなく、クリンチャユニットに対して移動できるように支持して被綴り用紙を貫通したステープルの脚部の位置によってクリンチャを移動させる自動芯調整機構を設けたものが提案されている。これは、特許文献１に示されるように、クリンチャを支持するクリンチャホルダの上面の、ステープルの脚部を受ける位置に、クリンチャ側に傾斜したガイド面を形成し、上記クリンチャホルダを被綴り用紙を受ける綴りテーブルに開口した開口部の内側を移動できるように支持し、ステープルの脚部の先端が所定の位置と少しずれ、クリンチャホルダのガイド面に当たったときは、ガイド面とともにクリンチャホルダが移動してステープルの脚部の先端をクリンチャで受けられるようにしたものである。
【０００６】
上記構成によれば、綴り時にドライバによって打ち出されて被綴り用紙を貫通したステープルの脚部が所定の位置よりも少しずれてしまったとしても、クリンチャが上記脚部に対応した位置に移動するので、ステープルの脚部が正しく折り曲げられ、良好な綴りを得ることができる。
【特許文献１】特開２００３−２０５５０６号公報
【発明の開示】
【発明が解決しようとする課題】
【０００７】
しかしながら、ステープラによっては被綴り用紙の側端から３ｍｍ程度の位置を綴じるように要求されることもある。この場合、図９（ａ）に示されるように、クリンチャホルダ３０の周囲に形成された綴りテーブルの開口部３１は、クリンチャホルダ３０がその内側を移動できるように、クリンチャホルダ３０よりも大きくなるように形成されているため、被綴り用紙ａにステープルの脚部１１が貫通するときは、ドライバによるステープルの脚部１１からの圧力で被綴り用紙ａの側端が開口部３１の内側に落ち込むことがある。このとき、被綴り用紙ａの圧力がクリンチャホルダ３０に加わるから、同図（ｂ）に示すように、ステープルの脚部１１が上記クリンチャホルダ３０のガイド面に当たっても、被綴り用紙ａの落ち込み部分ａ１が上記圧力によってクリンチャホルダ３０を押え込んでしまい、クリンチャホルダ３０が移動することができない。また、クランプにより被綴り用紙が開口部３１の内側に落ち込みこんだときに被綴り用紙ａの束が変形し、ステープルの脚部１１が被綴り用紙の表面に対して垂直の方向とは異なる方向に打ち込まれることがある。そのため、ステープルの脚部１１が座屈したり転んだりして綴り不良が生じることがある。
【０００８】
本発明は上記問題点を解消し、綴り時に綴りテーブルの開口部に被綴り用紙が落ち込み込むのを良好に防止して、クリンチャのクリンチャホルダが綴り時に自由に移動するのを確保することができるステープラを提供することをその課題とする。
【課題を解決するための手段】
【０００９】
前記課題を解決するため、本発明に係るステープラは、ドライバによって打ち出されたステープルの脚部を折り曲げる１対のクリンチャを保持し、かつ上記ステープルの脚部の先端部をクリンチャ側へ案内する傾斜したガイド面を有するクリンチャホルダを、被綴り用紙を受ける綴りテーブルに開口した開口部の内側に移動可能に設けたステープラにおいて、綴り時に上記被綴り用紙が上記開口部の内側に落ち込むのを防止する落ち込み防止部を、上記開口部の開口縁から開口部の内側に突出形成したことを特徴とする。
【００１０】
なお、前記落ち込み防止部は、前記開口部の相対する開口縁から一体に張出し形成される構成であってもよい。
【発明の効果】
【００１１】
本発明によれば、開口部の内側には落ち込み防止部が突出形成されているので、押し込まれた部分は落ち込み防止部に支持され、開口部の内側に落ち込むことはない。したがって、クリンチャホルダの自由な移動が妨げられることがないので、ステープルの脚部をクリンチャの傾斜面に案内することができ、また、被綴り用紙の束が変形することもないので、ステープルの脚部が座屈したり転んだりして綴り不良が生じるのを確実に防止することができる。
【実施例１】
【００１２】
図１はドライバユニットとクリンチャユニットとが分離した分離型ステープラのクリンチャユニットの要部を示すもので、このクリンチャユニットも基本的構造は従来のものと同じである。
【００１３】
すなわち、クリンチャユニットは、被綴り用紙を受ける矩形の綴りテーブル１と、その左右両側の垂下片２と、前部の傾斜片３と後部の垂直片４とから構成されたフレーム５の内側にクリンチャ６とクリンチャホルダ７とを配置するとともに、上記フレーム５を図示しないクリンチャユニットボックスに固定したものである。上記綴りテーブル１の中央には方形の開口部９が形成されている。なお、クリンチャユニットボックスは図示しない移動手段に連結され、他の駆動手段に連結したドライバユニットボックス（図示せず）とともに、同方向（水平方向）に移動するように構成されている。
【００１４】
次に、クリンチャ６はドライバ１０によって打ち出され、被綴り用紙を貫通したステープルの脚部１１を受けて折り曲げるもので、図２に示されるように、２枚のクリンチャホルダ７の間に１対のクリンチャ６が配置されている。なお、上記２枚のクリンチャホルダ７の間には仕切り板１２が設けられ、上記各クリンチャ６は仕切り板１２をはさんでその両側に配置されている。各クリンチャ６はクリンチャホルダ７と仕切り板１２とに設けられた支軸１３に回動自在に支持されている。
【００１５】
クリンチャ６は、図３に示されるように、上記支軸１３の内側に被綴り用紙を貫通したステープルの脚部１１を受ける上面１４を備え、上記支軸１３の外側には、中途部が略直角に折り曲げられた脚片１５を設けたものである。
【００１６】
クリンチャホルダ７は１対の厚板状の部材で、上端の中央には両側の肩部７ｂに対して上方に突出する凸部７ａが形成されている。図３に示すように、クリンチャホルダ７の上端中央の凸部７ａはフレーム５の綴りテーブル１の開口部９の内側に配置され、その両側の肩部７ｂは上記フレーム５の下面に当接又は近接するように支持される。クリンチャホルダ７には、被綴り用紙を貫通したステープルの脚部１１を受ける可能性のある部位にガイド部１６（図１参照）が設けられている。図４に示されるように、ガイド部１６には、内側のクリンチャ６側に傾斜するガイド面１７が形成されている。
【００１７】
また、フレーム５内には合成樹脂製のクリンチャベース２３が嵌合され、クリンチャベース２３の上部空間Ｓに上記クリンチャホルダ７が配置されている。そして、上部空間の内壁２４とクリンチャホルダ７との間にはコイルバネ１８が配置されている。コイルバネ１８の一端はクリンチャホルダ７に、他端は内壁２４にそれぞれ固定されている。また、クリンチャホルダ７は、前後方向に設けられた軸１９の上に移動可能に支持されている。上記軸１９は上記空間Ｓのフレーム５の下部の受け部２５に取り付けられている。
【００１８】
さらに、上記クリンチャホルダ７の下方にはクリンチャアーム２０（図３参照）が配置されている。このクリンチャアーム２０は、クリンチャ６を矢印方向に押圧して上面１４が水平になるように回動させる駆動機構（図示せず）に連結している。
【００１９】
以上のように、１対のクリンチャ６を支持したクリンチャホルダ７はコイルバネ１８によってフレーム５に支持されているが、クリンチャホルダ７の上端中央の凸部７ａが綴りテーブル１の開口部９内に納まる範囲でクリンチャホルダ７は移動可能となる。したがって、開口部９が大きければクリンチャホルダ７の可動範囲も大きくなる。
【００２０】
次に、詳しくは図６に示されるように、開口部９の前後の開口縁の中央からそれぞれ開口部９の内側に落ち込み防止部２１が突出形成されている。
【００２１】
上記構成によれば、綴り時にドライバユニットとクリンチャユニットとが接近して綴りテーブル１上の被綴り用紙ａを上記両ユニット間にクランプした後、図７（ａ）のようにドライバ１０が作動してステープルを打ち出し、ステープルの脚部１１を被綴り用紙に貫通させる。
【００２２】
貫通したステープルの脚部１１は、通常はクリンチャ６の上面１４上に降下する。ところが、貫通したステープルの脚部１１が所定の位置からずれ、クリンチャ６ではなく、傾斜したガイド面１７に当たることがあり、この場合は、ガイド面１７に水平方向の分力が働くため、ガイド面１７が上記脚部１１に押し出されてクリンチャホルダ７がコイルバネ１８のバネ力に抗して開口部９内を矢印方向に移動する。このため、同図（ｂ）に示されるように、ステープルの脚部１１はガイド面１７によってクリンチャ６の上面１４上に案内される。そして、ステープルの脚部１１が被綴り用紙ａを貫通し終わった後、クリンチャ６の駆動機構が作動し、図８に示されるように、クリンチャ６が回動して上記上面１４が水平状態になっていくにつれ、ステープルの脚部１１は折り曲げられてゆき、最終的に上記脚部１１は被綴り用紙ａの裏面に押し付けられ、綴りが終了する。このように、クリンチャ６が上記脚部１１に対応した位置に移動して、図２に示すように、ドライバの芯とクリンチャ６の中心位置Ｐ１、Ｐ２とが自動的に調整されるので、クリンチャ６などの部品公差だけでなく、ユーザーによるステープラの取付誤差などが積み上がっても、これらによる位置ずれは吸収され、クリンチャの芯合せが行なわれ、ステープルの脚部１１が正しく折り曲げられ、良好な綴りを得ることができる。
【００２３】
上述のように、被綴り用紙ａはドライバユニットとクリンチャユニットとの間に強くクランプされる。綴りテーブル１の開口部９は、クリンチャホルダ７がその内側を移動できるように、クリンチャホルダ７よりも大きくなるように形成されている。このため、クランプによる圧力に押されて被綴り用紙ａの側端が開口部９の内側に落し込まれるような力を受ける。被綴り用紙ａの側端から３ｍｍ程度の位置を綴じるような場合には特に顕著である。
【００２４】
しかし、開口部９の内側には落ち込み防止部２１が突出形成されているので、図７（ａ）（ｂ）に示されるように、押し込まれた部分は落ち込み防止部２１に支持され、開口部９の内側に落ち込むことはない。したがって、クリンチャホルダ７の自由な移動が妨げられることがないので、ステープルの脚部１１をクリンチャ６の上面１４に案内することができ、また、被綴り用紙ａの束が変形することもないので、ステープルの脚部１１が座屈したり転んだりして綴り不良が生じるのを確実に防止することができる。
【００２５】
上記落ち込み防止部２１は金属に限定されない。合成樹脂でもよい。
【００２６】
なお、クリンチャホルダを保持する手段はバネ手段であれば、コイルバネに限らず、例えば板バネであってもよい。
【００２７】
また、上記被綴り用紙の落ち込み防止機構は、必ずしも上下分離型のステープラに限定されない。手動又は電動式の一体型ステープラにも適用することができる。さらに、クリンチャは可動クリンチャに限定されない。固定クリンチャであってもよい。
【図面の簡単な説明】
【００２８】
【図１】本発明に係るクリンチャユニットの要部の斜視図である。
【図２】上記クリンチャユニットの横断面図である。
【図３】上記クリンチャユニットの正面図である。
【図４】クリンチャホルダの取付状態説明図である。
【図５】クリンチャユニットの一部を破断して示す斜視図である。
【図６】落ち込み防止部の部位の拡大図である。
【図７】（ａ）（ｂ）は上記クリンチャの作動態様説明図である。
【図８】被綴り用紙の落ち込みが防止された状態を示す断面図である。
【図９】（ａ）（ｂ）は従来のステープラによる被綴り用紙の落ち込み態様を示す断面図である。
【符号の説明】
【００２９】
ａ  被綴り用紙
１  綴りテーブル
６  クリンチャ
７  クリンチャホルダ
９  開口部
１７  ガイド面
２１  落ち込み防止部
【図１】
2005297146.tif 000003
【図２】
2005297146.tif 000004
【図３】
2005297146.tif 000005
【図４】
2005297146.tif 000006
【図５】
2005297146.tif 000007
【図６】
2005297146.tif 000008
【図７】
2005297146.tif 000009
【図８】
2005297146.tif 000010
【図９】
2005297146.tif 000011